(57)【要約】【課題】画像を表示させる表示画面１０５を利用者の視界の状態に応じてもっとも見やすいであろう明るさに調整する。【解決手段】表示画面調整装置１００は、第１測定部１０１によって表示画面１０５の周辺の環境光の明るさ成分を測定し、第２測定部１０２によって利用者が表示画面１０５を閲覧する際の視界に入射される太陽光の明るさ成分を測定する。光比較部１０３は、環境光の明るさ成分と、太陽光の明るさ成分とを比較する。調整部１０４は、光比較部１０３の比較結果に応じて、表示画面１０５を利用者にとって見やすいであろう明るさに調整する。【選択図】図１
2007286170.tif 000002
【特許請求の範囲】
【請求項１】
画像表示装置に備えられた受光素子により光を検出し、表示画面における画像の表示調整をおこなう表示画面調整装置において、
前記受光素子を用いて前記表示画面の周辺に入射される環境光の明るさ成分を測定する第１の測定手段と、
前記受光素子を用いて前記表示画面を閲覧する際の利用者の視界に対して入射される太陽光の明るさ成分を測定する第２の測定手段と、
前記第１の測定手段による前記環境光の明るさ成分の測定結果と、前記第２の測定手段による前記太陽光の明るさ成分の測定結果とを比較する光比較手段と、
前記光比較手段による比較結果に応じて前記表示画面における表示画像の明るさ調整をおこなう調整手段と、
を備えることを特徴とする表示画面調整装置。
【請求項２】
前記第１の測定手段による前記明るさ成分の測定結果が閾値以上の場合、
前記調整手段は、前記光比較手段による比較結果にかかわらず、前記第１の測定手段の測定結果に応じて前記表示画面における表示画像の明るさ調整をおこなうことを特徴とする請求項１に記載の表示画面調整装置。
【請求項３】
前記第２の測定手段の測定結果を用いて太陽の位置を算出する算出手段を備え、
前記調整手段は、前記算出手段によって算出された太陽の位置に応じて前記表示画面における表示画像の明るさ調整をおこなうことを特徴とする請求項１に記載の表示画面調整装置。
【請求項４】
前記第１の測定手段は、さらに、前記受光素子に対して所定のフィルタを透過して入力された透過光の明るさ成分を測定し、
前記光比較手段は、前記受光素子に対して入射された前記環境光の明るさ成分の測定結果と、前記太陽光の明るさ成分の測定結果とを比較するとともに、前記環境光の明るさ成分の測定結果と、前記透過光の明るさ成分の測定結果とを比較し、
前記調整手段は、前記光比較手段によるそれぞれの比較結果に応じて前記表示画面における表示画像の明るさ調整をおこなうことを特徴とする請求項１〜３のいずれか一つに記載の表示画面調整装置。
【請求項５】
前記所定のフィルタとして減光および偏光の少なくともいずれか一つの機能を有したフィルタを用いることを特徴とする請求項４に記載の表示画面調整装置。
【請求項６】
前記第１の測定手段および第２の測定手段は、前記明るさ成分として輝度を測定することを特徴とする請求項１〜５のいずれか一つに記載の表示画面調整装置。
【請求項７】
画像表示装置に備えられた受光素子により光を検出し、表示画面における画像の表示調整をおこなう表示画面調整装置の表示画面調整方法において、
前記受光素子を用いて前記表示画面の周辺に入射される環境光の明るさ成分を測定する第１の測定工程と、
前記受光素子を用いて前記表示画面を閲覧する際の利用者の視界に対して入射される太陽光の明るさ成分を測定する第２の測定工程と、
前記第１の測定工程による前記環境光の明るさ成分の測定結果と、前記第２の測定工程による前記太陽光の明るさ成分の測定結果とを比較する光比較工程と、
前記光比較工程による比較結果に応じて前記表示画面における表示画像の明るさ調整をおこなう調整工程と、
を含むことを特徴とする表示画面調整方法。
【請求項８】
請求項７に記載の表示画面調整方法をコンピュータに実行させることを特徴とする表示画面調整プログラム。
【請求項９】
請求項８に記載の表示画面調整プログラムをコンピュータに読み取り可能に記録した記録媒体。
【発明の詳細な説明】
【技術分野】
【０００１】
この発明は、画像表示装置に備えられた受光素子により光を検出し、表示画面における画像の表示調整をおこなう表示画面調整装置、表示画面調整方法、表示画面調整プログラムおよび記録媒体に関する。ただし、この発明の利用は、前述の表示画面調整装置、表示画面調整方法、表示画面調整プログラムおよび記録媒体に限るものではない。
【背景技術】
【０００２】
従来から、映像ソース部から出力される各種の映像信号を受けて、映像信号を選択または制御して出力する映像信号選択部および映像信号制御部と、この映像信号選択部から出力される映像信号を受けて映像を出力し、複数の映像を複数方向に対して出射する１つの表示画面を備える多画面映像表示装置と、を備える映像表示装置が知られている。
【０００３】
この映像表示装置は、さらに操作者が外部から操作をおこなった結果を含む第１の信号を生成し、この第１の信号を多画面映像表示装置または映像信号制御部に対して出力する外部操作部と、外部の状況を検出した結果を含む第２の信号を生成し、この第２の信号を映像信号制御部に対して出力する外部条件入力部とを含んで構成されている。
【０００４】
そして、この映像表示装置は、映像信号制御部が第２の信号に応じて所定の種類の映像信号に対して表示の制限を設ける制御をおこなうことで、外光の強度など外的要因に応じて表示画面の画像を調整することができる構成とされている（たとえば、下記特許文献１参照。）。
【０００５】
【特許文献１】特開２００４−２３３８１６号公報
【発明の開示】
【発明が解決しようとする課題】
【０００６】
しかしながら、上記の特許文献１に記載の従来技術の場合、映像表示装置に備えられた受光素子によって検出された外光の輝度のみを測定し、この測定結果に応じて表示画面のバックライトの輝度を調整して画像の表示調整をおこなっているため、調整後の画像が必ずしも利用者に適した見やすい表示画面にはなっていなかった。
【０００７】
たとえば、表示画面の周辺の環境光は、受光素子によって検出されるが、表示画面を閲覧する際の利用者の視界に入射される太陽光は考慮されていない。したがって、利用者にとっては、直射日光が差し込むようなまぶしい状況であっても、表示画面の周辺の環境光が暗ければ、表示画面が暗く調整されてしまい、利用者には非常に閲覧しにくい画面に調整されてしまっていた。
【０００８】
また、利用者にとってまぶしい状況であれば、サングラスなどを着用する可能が高いが、表示画面の周辺の環境光との対応がとれていないため、調整後の画面が、サングラス越しに見るには輝度が低く、かえって見にくくなってしまう場合があるという問題が一例として挙げられる。
【課題を解決するための手段】
【０００９】
請求項１の発明にかかる表示画面調整装置は、画像表示装置に備えられた受光素子により光を検出し、表示画面における画像の表示調整をおこなう表示画面調整装置において、前記受光素子を用いて前記表示画面の周辺に入射される環境光の明るさ成分を測定する第１の測定手段と、前記受光素子を用いて前記表示画面を閲覧する際の利用者の視界に対して入射される太陽光の明るさ成分を測定する第２の測定手段と、前記第１の測定手段による前記環境光の明るさ成分の測定結果と、前記第２の測定手段による前記太陽光の明るさ成分の測定結果とを比較する光比較手段と、前記光比較手段による比較結果に応じて前記表示画面における表示画像の明るさ調整をおこなう調整手段と、を備えることを特徴とする。
【００１０】
また、請求項７の発明にかかる表示画面調整方法は、画像表示装置に備えられた受光素子により光を検出し、表示画面における画像の表示調整をおこなう表示画面調整装置の表示画面調整方法において、前記受光素子を用いて前記表示画面の周辺に入射される環境光の明るさ成分を測定する第１の測定工程と、前記受光素子を用いて前記表示画面を閲覧する際の利用者の視界に対して入射される太陽光の明るさ成分を測定する第２の測定工程と、前記第１の測定工程による前記環境光の明るさ成分の測定結果と、前記第２の測定工程による前記太陽光の明るさ成分の測定結果とを比較する光比較工程と、前記光比較工程による比較結果に応じて前記表示画面における表示画像の明るさ調整をおこなう調整工程と、を含むことを特徴とする。
【００１１】
また、請求項８の発明にかかる表示画面調整プログラムは、請求項７に記載の表示画面調整方法をコンピュータに実行させることを特徴とする。
【００１２】
また、請求項９の発明にかかる記録媒体は、請求項８に記載の表示画面調整プログラムをコンピュータに読み取り可能に記録したことを特徴とする。
【発明を実施するための最良の形態】
【００１３】
以下に添付図面を参照して、この発明にかかる表示画面調整装置、表示画面調整方法、表示画面調整プログラムおよび記録媒体の好適な実施の形態を詳細に説明する。
【００１４】
（実施の形態）
（表示画面調整装置の機能的構成）
図１を用いて、本実施の形態にかかる表示画面調整装置の機能的構成について説明する。図１は、本実施の形態にかかる表示画面調整装置の機能的構成の一例を示すブロック図である。図１において、表示画面調整装置１００は、第１測定部１０１と、第２測定部１０２と、光比較部１０３と、調整部１０４と、表示画面１０５と、算出部１０６と、を含んで構成されている。
【００１５】
また、表示画面調整装置１００は画像表示装置（不図示）に備えられた受光素子により光を検出し、画像表示装置の表示画面１０５における画像の表示調整をおこなう。受光素子とは、入射された光を電気信号に変換して出力する素子である。また、受光素子は、その種類や、出力する電気信号の検出方式に応じて光の輝度やスペクトルなど、どのような成分を測定するかを選択することができる。本実施の形態では、特に入射された光の明るさ成分（たとえば、輝度、照度など）を検出する受光素子を用いる。
【００１６】
なお、本実施の形態にかかる表示画面調整装置１００において、受光素子は、単数であっても複数であってもよく、その数は問われない。１つの受光素子を用いる場合は、後述する第１測定部１０１によって測定をおこなう場合と、第２測定部１０２によって測定をおこなう場合とのそれぞれの場合に応じて、受光素子を適した配置場所へ移動させればよい。また、複数の受光素子を用いる場合は、第１測定部１０１用の受光素子と、第２測定部１０２用の受光素子とが、それぞれ適した場所に配置される。なお、複数の受光素子を用いる場合は、各受光素子の特性や感度を等しく設定する必要がある。
【００１７】
第１測定部１０１は、受光素子を用いて表示画面１０５の周辺に入射される環境光の明るさ成分を測定する。ここで環境光とは、通常の状態で表示画面調整装置１００の表示画面１０５の周辺に入射されている光をあらわす。この環境光には、間接的に照射された太陽光や、表示画面１０５の周辺にある照明器具から照射された光などが含まれており、その内容は、使用状態に応じて変化する。
【００１８】
また、第１測定部１０１で測定をおこなう際に用いる受光素子の具体的な配置場所として、たとえば、表示画面１０５の表示面側に平行な面がよい。さらに好ましくは、表示画面１０５に埋め込まれた状態がよい。
【００１９】
第２測定部１０２は、受光素子を用いて表示画面１０５を閲覧する際の利用者の視界に対して入射される太陽光の明るさ成分を測定する。ここで太陽光とは、表示画面１０５を閲覧する際の利用者の視界に対して入射されるすべての光を意味しており、実際には、太陽光のみならず、利用者の周辺にある照明器具から照射された光なども含まれているが、ここでは便宜上太陽光という名称を用いる。
【００２０】
また、第２測定部１０２で測定をおこなう際に用いる受光素子の具体的な配置場所としては、表示画面１０５を閲覧する際の利用者の視界に対して入射される光を検出できる場所であればよい。また、受光素子を複数の場所に配置して、測定された光の明るさ成分が最大のものを採用するような設定であってもよい。
【００２１】
光比較部１０３は、第１測定部１０１による環境光の明るさ成分の測定結果と、第２測定部１０２による太陽光の明るさ成分の測定結果とを比較する。ここでいう比較とは、第１測定部１０１および第２測定部１０２が明るさ成分として輝度を測定した場合は、たとえば、環境光の輝度と太陽光の輝度との差や比率などを求める処理である。また、たとえば、第１測定部１０１および第２測定部１０２が明るさ成分としてスペクトルを測定した場合は、環境光のスペクトルの最大強度の周波数と、太陽光のスペクトルの最大強度の周波数と、をそれぞれ抽出することによりおこなわれる。
【００２２】
調整部１０４は、光比較部１０３による比較結果に応じて表示画面１０５における表示画像の明るさ調整をおこなう。また、調整部１０４は、第１測定部１０１による明るさ成分の測定結果が閾値以上の場合は、光比較部１０３による比較結果にかかわらず、第１測定部１０１の測定結果に応じて表示画面１０５における表示画像の明るさ調整をおこなう。
【００２３】
表示画面１０５は、外部から入力された画像データによって構成されるイメージ画像を表示する。また、調整部１０４によっておこなわれた明るさ調整に応じて、表示されるイメージ画像の表示状態を適宜変更して表示する。なお、表示画面１０５は、図１のように表示画面調整装置１００に含まれた構成でもよいし、他の装置として独立して構成されていてもよい。他の装置として独立して構成されている場合は、調整部１０４による明るさ調整を反映して画像データのイメージ画像を表示させる。
【００２４】
また、算出部１０６は、第２測定部１０２の測定結果を用いて太陽の位置を算出する。算出部１０６は、表示画面調整装置１００における必須の構成ではなく、調整部１０４における調整の精度を向上させるための機能部である。
【００２５】
算出部１０６を備える場合には、第２測定部１０２用の受光素子として、入射された光から太陽光に相当する光を検出し、さらにその光（太陽光）の入射角度をあわせて検出する機能を備えた受光素子を用いる必要がある。
【００２６】
上述のような算出部１０６を用いて太陽の位置を算出した場合、調整部１０４は、算出された太陽の位置に応じて表示画面１０５における表示画像の明るさ調整をおこなう。たとえば、太陽の位置が低い場合、表示画面１０５の輝度およびコントラストを高くすることによって、利用者にとって見やすいであろう画面を提供することができる。
【００２７】
また、表示画面調整装置１００は、さらに、受光素子に対して所定のフィルタを透過して入力された透過光の明るさ成分を測定して、測定結果を表示画面１０５の調整に用いてもよい。ここで、所定のフィルタとは、たとえば利用者の視線と表示画面１０５との間に位置するフィルタを意味する。この所定のフィルタは、具体的には、サングラスやゴーグルなど、利用者が外光の光を緩和させるために用いるフィルタであり、減光機能や遮光機能を備えたものである。
【００２８】
透過光を測定した場合、光比較部１０３は、受光素子に対して入射された環境光の明るさ成分の測定結果と、太陽光の明るさ成分の測定結果とを比較するとともに、環境光の明るさ成分の測定結果と、透過光の明るさ成分の測定結果とを比較する。このような場合、調整部１０４は、光比較部１０３によるそれぞれの比較結果に応じて表示画面１０５における表示画像の明るさ調整をおこなう。
【００２９】
（表示画面調整装置の処理の内容）
つぎに、表示画面調整装置の処理の内容について説明する。図２は、本実施の形態にかかる表示画面調整装置の処理の内容の一例を示すフローチャートである。図２のフローチャートにおいて、まず、第１測定部１０１によって、環境光を測定したか否かを判断する（ステップＳ２０１）。上述したように、第１測定部１０１は、環境光の明るさ成分を測定する。
【００３０】
ステップＳ２０１において、環境光を測定するまで待ち（ステップＳ２０１：Ｎｏのループ）、環境光を測定すると（ステップＳ２０１：Ｙｅｓ）、測定した明るさ成分が閾値以上か否かを判断する（ステップＳ２０２）。
【００３１】
ステップＳ２０２において、第１測定部１０１によって測定された環境光の明るさ成分が閾値以上であった場合は（ステップＳ２０２：Ｙｅｓ）、表示画面１０５の周辺が十分に明るく、利用者が表示画面１０５を閲覧する際の視界に入射される太陽光の明るさ成分との差を考慮する必要がないと推測される。したがって、ステップＳ２０１で測定した環境光の明るさ成分に応じて、調整部１０４が表示画面１０５の明るさを調整し（ステップＳ２０３）、一連の処理を終了する。
【００３２】
ステップＳ２０２において、第１測定部１０１によって測定された環境光の明るさ成分が閾値未満であった場合は（ステップＳ２０２：Ｎｏ）、第２測定部１０２によって、太陽光を測定したか否かを判断する（ステップＳ２０４）。ここで、太陽光を測定するまで待ち（ステップＳ２０４：Ｎｏのループ）、太陽光を測定すると（ステップＳ２０４：Ｙｅｓ）、光比較部１０３において、第１測定部１０１で測定した環境光の明るさ成分と、第２測定部１０２で測定した太陽光の明るさ成分とを比較する（ステップＳ２０５）。
【００３３】
ステップＳ２０５の比較処理が終了すると、続いて、サングラスを利用するか否かを判断する（ステップＳ２０６）。このステップＳ２０６における判断をおこなうために、表示画面調整装置１００は、利用者に向けてサングラスを利用するか否かの指示を入力するように報知する。入力された指示に応じてサングラスを利用すると判断された場合は（ステップＳ２０６：Ｙｅｓ）、第１測定部１０１においてサングラスを透過して受光素子に入射された透過光を測定したか否かを判断する（ステップＳ２０７）。
【００３４】
ステップＳ２０７において、透過光を測定するまで待ち（ステップＳ２０７：Ｎｏのループ）、透過光が測定されると（ステップＳ２０７：Ｙｅｓ）、光比較部１０３において、第１測定部１０１で測定した環境光の明るさ成分と、透過光の明るさ成分とを比較する（ステップＳ２０８）。
【００３５】
また、ステップＳ２０６においてサングラスを利用しないと判断された場合は（ステップＳ２０６：Ｎｏ）、ステップＳ２０７およびステップＳ２０８の透過光に関する処理をおこなわず、直接ステップＳ２０９に移行する。
【００３６】
ステップＳ２０５もしくはステップＳ２０８の処理が終了すると、最後に、光比較部１０３の比較結果に応じて調整部１０４によって表示画面１０５の明るさを調整し（ステップＳ２０９）、本フローチャートによる一連の処理を終了する。
【００３７】
なお、ステップＳ２０９では、２通りの明るさ調整がおこなわれる。具体的には、サングラスを利用する場合と利用しない場合との２通りである。サングラスを利用する場合は、ステップＳ２０５における環境光の明るさ成分と太陽光の明るさ成分との比較結果と、ステップＳ２０８における環境光の明るさ成分と透過光の明るさ成分との比較結果との双方を用いて調整部１０４による表示画面１０５の明るさ調整をおこなう。
【００３８】
一方、サングラスを利用しない場合は、ステップＳ２０５における環境光の明るさ成分と太陽光の明るさ成分との比較結果のみを用いて調整部１０４による表示画面１０５の明るさ調整をおこなう。また、算出部１０６を備えた場合は、算出された太陽の位置情報をステップＳ２０９における表示画面の明るさ調整の際のパラメータとして追加する。
【００３９】
以上説明したように、本実施の形態にかかる表示画面調整装置１００は、利用者が表示画面１０５を閲覧する際の視界への入射光を考慮することで、利用者にとって見やすい状態となるように表示画面１０５の明るさを調整することができる。また、使用者がサングラスなどの所定のフィルタを用いている場合であっても、所定のフィルタを用いた場合の透過光を測定し、環境光との比較をおこなうことで、利用者にとって見やすい状態となるように表示画面１０５を暗すぎない程度の明るさに調整することができる。
【実施例】
【００４０】
つぎに、本発明の実施の形態にかかる実施例について詳細に説明する。ここでは、この実施の形態にかかる表示画面調整装置を、たとえば車両（四輪車、二輪車を含む）などの移動体や携帯型電話機などの可搬型端末に搭載されるナビゲーション装置に適用し、利用者（たとえば、運転者や助手席の搭乗者）が、ナビゲーション画面を見る際の利用者の視界に、フロントガラスから入射される太陽光がどの程度影響しているのかを検出して、ナビゲーション画面に表示される画像の明るさ調整をおこなう場合を例示して説明する。
【００４１】
（ナビゲーション装置のハードウェア構成）
まず、本発明の実施例にかかるナビゲーション装置３００のハードウェア構成について説明する。図３は、本発明の実施例にかかるナビゲーション装置のハードウェア構成の一例を示すブロック図である。図３において、ナビゲーション装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ（インターフェース）３１２と、ディスプレイ３１３と、通信Ｉ／Ｆ（インターフェース）３１４と、ＧＰＳユニット３１５と、各種センサ３１６と、を備えている。なお、各構成部３０１〜３１６はバス３２０によってそれぞれ接続されている。
【００４２】
まず、ＣＰＵ３０１は、ナビゲーション装置３００の全体の制御を司る。ＲＯＭ３０２は、たとえばブートプログラム、経路探索プログラム、経路誘導プログラム、音声生成プログラム、地図情報表示プログラム、通信プログラム、データベース作成プログラム、データ解析プログラム、表示画面調整プログラムなどの各種プログラムを記録している。
【００４３】
経路探索プログラムは、後述する光ディスク３０７に記録されている地図情報などを利用して、出発地から目的地までの最適な経路を探索させる。ここで、最適な経路とは、目的地までの最短（あるいは最速）経路や利用者が指定した条件にもっとも合致する経路などである。この経路探索プログラムを実行することによって探索された誘導経路は、たとえばＣＰＵ３０１を介して音声Ｉ／Ｆ３０８や映像Ｉ／Ｆ３１２へ出力される。
【００４４】
また、経路誘導プログラムは、上述した経路探索プログラムを実行することによって探索された誘導経路情報、通信Ｉ／Ｆ３１４によって取得されたナビゲーション装置３００の現在位置、光ディスク３０７から読み出された地図情報に基づいて、リアルタイムな経路誘導情報の生成をおこなう。経路誘導プログラムを実行することによって生成された経路誘導情報は、たとえばＣＰＵ３０１を介して音声Ｉ／Ｆ３０８や映像Ｉ／Ｆ３１２へ出力される。
【００４５】
また、音声生成プログラムは、音声パターンに対応したトーンと音声の情報を生成させる。すなわち、経路誘導プログラムを実行することによって生成された経路誘導情報に基づいて、案内ポイントに対応した仮想音源の設定と音声ガイダンス情報の生成をおこなわせ、たとえば生成された音声ガイダンス情報を、ＣＰＵ３０１を介して音声Ｉ／Ｆ３０８へ出力させる。
【００４６】
また、地図情報表示プログラムは、映像Ｉ／Ｆ３１２によってディスプレイ３１３に表示する地図情報の表示形式を決定させ、決定された表示形式によって地図情報をディスプレイ３１３に表示させる。
【００４７】
また、表示画面調整プログラムは、後述するＧＰＳユニット３１５や後述する各種センサ３１６などを利用して、ナビゲーション装置３００の利用者にとって見やすい画像を表示させるために表示調整をおこない、調整後の画像データを、ＣＰＵ３０１を介してディスプレイ３１３に出力させる。
【００４８】
ＲＡＭ３０３は、たとえばＣＰＵ３０１のワークエリアとして使用される。磁気ディスクドライブ３０４は、ＣＰＵ３０１の制御にしたがって磁気ディスク３０５に対するデータのリード／ライトを制御する。磁気ディスク３０５は、磁気ディスクドライブ３０４の制御で書き込まれたデータを記録する。
【００４９】
磁気ディスクドライブ３０４は、具体的には、たとえば、上述した表示画面調整プログラムによって生成された利用者への案内音声を、音声データとして磁気ディスク３０５に記録する。そして、磁気ディスク３０５としては、たとえば、ＨＤ（ハードディスク）やＦＤ（フレキシブルディスク）を用いることができる。
【００５０】
光ディスクドライブ３０６は、ＣＰＵ３０１の制御にしたがって光ディスク３０７に対するデータのリード／ライトを制御する。光ディスク３０７は、光ディスクドライブ３０６の制御にしたがってデータが読み出される着脱自在な記録媒体である。この光ディスク３０７としては、書き込み可能な記録媒体を利用することもできる。また、着脱可能な記録媒体として、光ディスク３０７のほか、ＭＯ、メモリカードなどを用いることもできる。
【００５１】
これら磁気ディスク３０５、光ディスク３０７に記録される情報の一例として、後述するマイク３０９で得られた車内外の音声、後述する各種センサ３１６からの出力値などが挙げられる。また、これらの情報は、上述した表示画面調整プログラムなどに用いられる。
【００５２】
その他、磁気ディスク３０５、光ディスク３０７に記録される情報の一例として、経路探索・経路誘導などに用いられる地図情報が挙げられる。地図情報は、建物、河川、地表面などの地物（フィーチャ）をあらわす背景データと、道路の形状をあらわす道路形状データとを有しており、ディスプレイ３１３の表示画面において２次元または３次元に描画される。ナビゲーション装置３００が経路誘導中の場合は、地図情報と後述するＧＰＳユニット３１５によって取得された車両の現在位置を示す車両マークとが重ねて表示されることとなる。
【００５３】
道路形状データは、さらに交通条件データを有する。交通条件データには、たとえば、各ノードについて、信号や横断歩道などの有無、高速道路の出入口やジャンクションの有無、各リンクについての長さ（距離）、道幅、進行方向、道路種別（高速道路、有料道路、一般道路など）などの情報が含まれている。
【００５４】
また、交通条件データには、過去の渋滞情報が、季節・曜日・大型連休・時刻などを基準に統計処理した過去渋滞情報として記憶されている。このナビゲーション装置３００は、後述する通信Ｉ／Ｆ３１４によって受信される道路交通情報によって、たとえば現在発生している渋滞の情報を得るが、上述した過去渋滞情報を用いることによって、たとえば指定した時刻における渋滞状況の予想をおこなうことも可能である。
【００５５】
なお、本実施例では、地図情報を磁気ディスク３０５、光ディスク３０７などに記録するようにしたが、これに限るものではない。地図情報は、ナビゲーション装置３００のハードウェアと一体に設けられているものに限って記録されているものではなく、ナビゲーション装置３００の外部に設けられていてもよい。この場合、ナビゲーション装置３００は、たとえば、通信Ｉ／Ｆ３１４を通じて、ネットワークを介して地図情報を取得するようにしてもよい。こうして取得された地図情報は、たとえばＲＡＭ３０３などに記憶される。
【００５６】
また、音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。なお、スピーカ３１０は、車両の内部だけでなく、車両の外部に設けられていてもよい。このスピーカ３１０からは、音声Ｉ／Ｆ３０８からの音声信号に基づく音声が出力される。また、マイク３０９から入力された音声は、たとえば音声データとして磁気ディスク３０５あるいは光ディスク３０７に記録可能である。
【００５７】
そして、入力デバイス３１１は、文字、数値、各種指示などの入力のための複数のキーを備えたリモコン、キーボード、マウス、タッチパネルなどが挙げられる。
【００５８】
また、映像Ｉ／Ｆ３１２は、ディスプレイ３１３と接続される。この映像Ｉ／Ｆ３１２は、具体的には、たとえば、ディスプレイ３１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１３を表示制御する制御ＩＣなどによって構成される。
【００５９】
ディスプレイ３１３には、アイコン、カーソル、メニュー、ウインドウ、あるいは文字や画像などの各種データが表示される。このディスプレイ３１３としては、たとえば、ＣＲＴ、ＴＦＴ液晶ディスプレイ、プラズマディスプレイなどを採用することができる。
【００６０】
また、ディスプレイ３１３は、表示画面調整プログラムによる表示調整指示に応じて表示画面の明るさに関するパラメータ（たとえば、輝度、コントラストなど）を変化させることができる。
【００６１】
また、通信Ｉ／Ｆ３１４は、無線を介してネットワークに接続され、ナビゲーション装置３００とＣＰＵ３０１とのインターフェースとして機能する。通信Ｉ／Ｆ３１４は、さらに、無線を介してインターネットなどの通信網に接続され、この通信網とＣＰＵ３０１とのインターフェースとしても機能する。
【００６２】
ネットワークには、ＬＡＮ、ＷＡＮ、公衆回線網や携帯電話網などがある。具体的には、通信Ｉ／Ｆ３１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ：登録商標）／ビーコンレシーバ、無線ナビゲーション装置、およびその他のナビゲーション装置によって構成され、ＶＩＣＳセンターから配信される渋滞や交通規制などの道路交通情報を取得する。
【００６３】
また、ＧＰＳユニット３１５は、ＧＰＳ衛星からの受信波や後述する各種センサ３１６からの出力値を用いて、車両の現在位置（ナビゲーション装置３００の現在位置）を示す位置情報を算出する。現在位置を示す位置情報は、たとえば、緯度・経度、高度などの地図情報上の１点を特定する情報である。また、ＧＰＳユニット３１５は、各種センサ３１６からの出力値を用いて、オドメーター、速度変化量、方位変化量などを出力する。これにより、急ブレーキ、急ハンドルなどの車両の動態を解析することができる。
【００６４】
各種センサ３１６は、車速センサ、加速度センサ、角速度センサ、方位センサ、光センサなどであり、その出力値は、ＧＰＳユニット３１５による位置情報の算出や、速度や方位の変化量の測定に用いられたり、表示画面調整プログラムを実行する際の光の測定に用いられたりする。
【００６５】
なお、図１に示した実施の形態にかかる表示画面調整装置１００の機能的構成である第１測定部１０１および第２測定部１０２は、具体的には、たとえばＣＰＵ３０１、磁気ディスク３０５、光ディスク３０７、各種センサ３１６によってその機能を実現する。また、光比較部１０３、調整部１０４、算出部１０６は、具体的には、たとえばＣＰＵ３０１、ＲＡＭ３０３、磁気ディスク３０５、光ディスク３０７によって、それぞれの機能を実現する。また、表示画面１０５は、具体的には、たとえば、ＣＰＵ３０１、映像Ｉ／Ｆ３１２、ディスプレイ３１３によってその機能を実現する。
【００６６】
（環境光および太陽光の測定手法）
つぎに、図４を用いて環境光および太陽光の測定手法について説明する。図４は、環境光および太陽光の測定手法の一例を示す説明図である。図４は、四輪車の運転席をあらわしている。本実施例のナビゲーション装置３００は、受光素子として光センサ４００と光センサ４０１とを備えて構成されている。
【００６７】
光センサ４００は、ディスプレイ３１３上に配置され、環境光を測定するために用いられる。また、光センサ４０１は、ダッシュボード上に配置され、運転席に乗車している利用者がディスプレイ３１３を閲覧する際の視界に差し込む太陽光を測定するために用いられる。また、光センサ４０１は、太陽光が入射する角度４０２に応じて受光面の角度を調整することができる構造を備えている。
【００６８】
（ナビゲーション装置の表示画面調整処理の内容）
つぎに、本発明の実施例にかかるナビゲーション装置３００の表示画面調整処理の内容の一例について説明する。図５は、発明の実施例にかかるナビゲーション装置の表示画面調整処理内容の一例を示すフローチャートである。図５のフローチャートにおいて、まず、ディスプレイ３１３を自動調整するか否かを判断する（ステップＳ５０１）。自動調整するか否かの判断は、利用者にディスプレイ３１３を自動調整するか否かの判断をおこなわせ、その判断結果に準ずる。具体的には、ナビゲーション装置３００に備えられたスピーカ３１０やディスプレイ３１３を用いて「ナビゲーション画面の自動調整をおこないますか」などの内容をあらわす旨の質問文を文字もしくは音声で報知する。また、あらかじめ、利用者による自動調整利用設定を磁気ディスク３０５などに記録しておき、この設定に応じて自動的に判断してもよい。
【００６９】
ステップＳ５０１において、表示画面を自動調整しないと判断された場合は（ステップＳ５０１：Ｎｏ）、ナビゲーション装置３００において表示画面調整プログラムを実行させないため、そのまま一連の表示画面調整処理を終了する。
【００７０】
一方、ステップＳ５０１において、ディスプレイ３１３を自動調整すると判断された場合は（ステップＳ５０１：Ｙｅｓ）、まず、ディスプレイ３１３面の光センサ４００によって環境光の輝度を測定し（ステップＳ５０２）、測定した環境光の輝度が規定値以下か否かを判断する（ステップＳ５０３）。なお、規定値は過去の調整実績などに基づいてあらかじめ設定された値であるが、利用者が個別に設定することもできる。
【００７１】
ステップＳ５０３において、測定した環境光の輝度が規定値以下ではとないと判断された場合は（ステップＳ５０３：Ｎｏ）、光センサ４００の測定結果に応じてディスプレイ３１３のバックライトを明るく調整し（ステップＳ５０４）、一連の表示画面調整処理を終了する。一方、測定した環境光の輝度が規定値以下であると判断された場合は（ステップＳ５０３：Ｙｅｓ）、さらに、ディスプレイ３１３の調整に太陽光を考慮するか否かを判断する（ステップＳ５０５）。太陽光を考慮するか否かの判断は、ステップＳ５０１の判断と同様に、利用者にディスプレイ３１３を自動調整するか否かの判断をおこなわせ、その判断結果に準ずる。また、あらかじめ、利用者による自動調整利用設定を磁気ディスク３０５などに記録しておき、この設定に応じて自動的に判断してもよい。
【００７２】
ステップＳ５０５において、太陽光を考慮しないと判断された場合は（ステップＳ５０５：Ｎｏ）、ステップＳ５０２の環境光の測定結果（輝度の値）に応じてディスプレイ３１３のバックライトを調整して（ステップＳ５０６）、一連の表示画面調整処理を終了する。なお、ステップＳ５０６の具体的な処理としては、環境光の測定結果があらかじめ定められた規定値よりも明るい場合は、ディスプレイ３１３のバックライトを明るく調整する。また、環境光の測定結果があらかじめ定められた規定値よりも暗い場合は、ディスプレイ３１３のバックライトを暗く調整する。
【００７３】
ステップＳ５０５において、太陽光を考慮すると判断された場合は（ステップＳ５０５：Ｙｅｓ）、光センサ４０１による太陽光の測定結果を用いて太陽の位置を認識する（ステップＳ５０７）。なお、太陽の位置を認識するには、光センサ４０１によって、入射されている太陽光から太陽の位置情報を検出してもよいし、ナビゲーション装置３００のＧＰＳユニット３１５によって取得した現在位置情報から太陽の位置情報を算出してもよい。また、光センサ４０１によって検出された位置情報と、現在位置情報から算出された位置情報との双方を用いることで、さらに高精度に太陽の位置を認識することができる。
【００７４】
ステップＳ５０７によって太陽の位置が認識されると、太陽方向の光センサ４０１によって太陽光の輝度を測定し（ステップＳ５０８）、測定した太陽光の輝度とステップＳ５０２において測定した環境光の輝度とを比較する（ステップＳ５０９）。つぎに、ステップＳ５０９において比較した輝度の差が規定値以下か否かを判断する（ステップＳ５１０）。なお、太陽光の輝度を測定する際、光センサ４０１の受光面は、ステップＳ５０７における太陽位置認識処理によって、太陽光が入射される角度に調整されている。また、前述のとおり、輝度の他にスペクトル等を比較の対象としてもよい。また、比較の際には、環境光と太陽光との差をとる以外に比率等を算出し、算出結果に応じて設定されている規定値以下か否かを判断してもよい。
【００７５】
ステップＳ５１０において、測定した環境光と太陽光との輝度の差が規定値以下であると判断された場合は（ステップＳ５１０：Ｙｅｓ）、環境光と太陽光の差が利用者の視界に影響する可能性が低いため、ステップＳ５０２における環境光の測定結果（輝度の値）に応じてディスプレイ３１３のバックライトを調整し（ステップＳ５０６）、一連の表示画面調整処理を終了する。
【００７６】
一方、ステップＳ５１０において、測定した環境光と太陽光との輝度の差が規定値以下ではないと判断された場合は（ステップＳ５１０：Ｎｏ）、環境光と太陽光の輝度差に応じてディスプレイ３１３のバックライトを調整し（ステップＳ５１１）、一連の表示画面調整処理を終了する。
【００７７】
（サングラスを着用した場合のディスプレイ調整）
つぎに、利用者がサングラスを着用した場合のディスプレイ調整について説明する。図６は、透過光の測定手法の一例を示す説明図である。透過光を測定する場合は、図６に示すように、光センサ４００の直上にサングラス６００をかざして透過した光を測定する。このようにして、光センサ４００に対して入力された環境光および透過光をそれぞれ測定する。
【００７８】
利用者がサングラスを着用する場合には、図６に示したように環境光とサングラスの透過光とをそれぞれ測定し、測定結果を比較することでサングラスの透過率を求めることができる。この透過率を用いて、図５のフローチャートにおけるステップＳ５１０の処理の規定値を適宜調整することができる。具体的には、たとえば、透過率が低ければ、色の濃いサングラスを利用していることが想定され、規定値を低くする。一方、透過率が高ければ、肉眼とかわらないと推測できるため、規定値をそのまま利用する。
【００７９】
このように調整された規定値を用いてバックライトの明るさ調整をおこなうことで、サングラスを着用した場合であっても、ディスプレイが暗く調整されて、利用者にとって閲覧しにくくなるというような事態を避けることができる。
【００８０】
なお、利用者にとって見やすい映像とは、利用者の健康状態や、車両内の明るさなどに影響を受けるため、自動調整をおこなった場合でも実際には利用者にとって見やすい明るさに調整されておらず、入力デバイス３１１から手動による明るさ調整指示が入力される場合がある。このような場合は、入力された調整内容を磁気ディスク３０５などに記録しておき、表示画面調整プログラムにおける規定値の設定の際に反映させるようにしてもよい。また、複数の明るさ調整をおこない、最適なものを利用者に選択させるようにしてもよい。
【００８１】
以上説明したように、本発明の表示画面調整装置、表示画面調整方法、表示画面調整プログラムおよび記録媒体によれば、利用者の視界の状況に応じて表示画面の画像の表示調整をおこなうことができる。したがって、視界の状況が変化しても、利用者にとって常に見やすい画像を表示できるように表示画面の明るさを調整することができる。
【００８２】
また、ナビゲーション装置３００は、一度、表示画面調整プログラムを実行した際のサングラスの透過率を、たとえば識別子とともに磁気ディスク３０５や光ディスク３０７に記録することができる。識別子とは、通し番号や、アルファベット１文字などで構成される単純なものでもよいし、“父のサングラス１”、“○子のサングラス２”など、具体的な調整対象をあらわす複雑なものでもよい。この場合、利用者は、一度記録されたサングラスを着用してナビゲーション装置３００を利用する際に、まず、入力デバイス３１１によって識別子を選択するとよい。
【００８３】
そして、識別子が選択されると、ナビゲーション装置３００は、ＣＰＵ３０１を介して、磁気ディスク３０５や光ディスク３０７から、識別子に応じたサングラスの透過率を読み出す。ナビゲーション装置３００は、読み出した透過率と現在の環境光および太陽光の測定結果とを用いて表示画面調整処理を実行する。したがって、このような構成にすれば、即座に利用者にとって見やすいであろう画像を提供することができる。
【００８４】
なお、本実施の形態で説明した表示画面調整方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００８５】
【図１】本実施の形態にかかる表示画面調整装置の機能的構成の一例を示すブロック図である。
【図２】本実施の形態にかかる表示画面調整装置の処理の内容の一例を示すフローチャートである。
【図３】本発明の実施例にかかるナビゲーション装置のハードウェア構成の一例を示すブロック図である。
【図４】環境光および太陽光の測定手法の一例を示す説明図である。
【図５】本発明の実施例にかかるナビゲーション装置の表示画面調整処理手順の一例を示すフローチャートである。
【図６】透過光の測定手法の一例を示す説明図である。
【符号の説明】
【００８６】
１００  表示画面調整装置
１０１  第１測定部
１０２  第２測定部
１０３  光比較部
１０４  調整部
１０５  表示画面
１０６  算出部
【図１】
2007286170.tif 000003
【図２】
2007286170.tif 000004
【図３】
2007286170.tif 000005
【図４】
2007286170.tif 000006
【図５】
2007286170.tif 000007
【図６】
2007286170.tif 000008